(57)【特許請求の範囲】
【請求項１】
方位検出機能を有する携帯電話装置の制御方法であって、
方位と音階とを対応づけ、前記携帯電話装置を特定の方位に向けることにより該特定の方位に対応づけられた音程を入力可能としたことを特徴とする携帯電話装置の制御方法。
【請求項２】
前記携帯電話装置を特定の方位に向けることにより該特定の方位に対応づけられた音程を決めた際に音長を決めるためのデータを入力することを特徴とする請求項１に記載の携帯電話装置の制御方法。
【請求項３】
１２方位に１２音階を割り当てて、１回転で１オクターブアップまたはダウンに対応させたことを特徴とする請求項１または２のいずれかに記載の携帯電話装置の制御方法。
【請求項４】
装置本体の方位を検出する方位検出手段と、
方位と音程との関係を示す方位／音程変換テーブルが格納されている第１の記憶手段と、
楽譜データを記憶する第２の記憶手段と、
各種データの入力及び動作モードの設定を行う入力手段と、
各種データを表示する表示手段と、
前記方位検出手段の検出出力を取り込み、かつ前記第１の記憶手段に格納されている方位／音程変換テーブルを参照し、前記検出出力が示す方位に対応する音程を方位と共に前記表示手段に表示すると共に、前記入力手段により楽譜データ入力モードに設定された場合に前記音程を含む楽譜データを前記第２の記憶手段に格納する制御手段と、
を有することを特徴とする携帯電話装置。
【請求項５】
前記楽譜データは、音程、オクターブ、音長からなる音符データと、休符長を示す休符データとからなり、前記音符データは、１２方位に１２音階を割り当てて、１回転で１オクターブアップまたはダウンに対応させ、音程及びオクターブ以外のデータは前記入力手段により入力されることを特徴とする請求項４に記載の携帯電話装置。
【請求項６】
さらに、入力された際に楽譜データに基づいて楽音を生成する楽音生成手段と、
該楽音生成手段により生成された楽音を放音する発音手段と、
を有することを特徴とする請求項４または５のいずれかに記載の携帯電話装置。
【発明の詳細な説明】
【０００１】
【発明の属する技術分野】
本発明は、携帯電話装置に係り、特に方位検出機能を有する携帯電話装置に関する。
【０００２】
【従来の技術】
最近では、オリジナルの楽曲（メロディ）を作曲し、オリジナルメロディとして登録して、このオリジナルメロディを着信音や目覚まし時計のアラーム音として使用できるようにした携帯電話装置がある。
このような従来の携帯電話装置にあっては、楽曲を作曲する際に、楽譜データとして、音符や休符を入力する必要があるが、音符や休符の入力を操作入力部のキーを操作することにより行っていた。
【０００３】
【発明が解決しようとする課題】
上述したように、従来の携帯電話装置では、作曲する際に、音符や休符の入力を操作入力部のキーを操作することにより行っていたが、これは人間の感覚に合わないばかりでなく、音程と音長の２つの情報をキー入力するのは操作が煩雑であるという問題が有った。
本発明はこのような事情に鑑みてなされたものであり、作曲する際に楽譜データの入力操作を容易に行うことができる携帯電話装置を提供することを目的とする。
【０００４】
【課題を解決するための手段】
上記目的を達成するために請求項１に記載の発明は、方位検出機能を有する携帯電話装置の制御方法であって、方位と音階とを対応づけ、前記携帯電話装置を特定の方位に向けることにより該特定の方位に対応づけられた音程を入力可能としたことを特徴とする。
【０００５】
また、請求項２に記載の発明は、請求項１に記載携帯電話装置の制御方法において、前記携帯電話装置を特定の方位に向けることにより該特定の方位に対応づけられた音程を決めた際に音長を決めるためのデータを入力することを特徴とする。
【０００６】
また、請求項３に記載の発明は、請求項１または２のいずれかに記載の携帯電話装置の制御方法において、１２方位に１２音階を割り当てて、１回転で１オクターブアップまたはダウンに対応させたことを特徴とする。
【０００７】
また、請求項４に記載の発明は、装置本体の方位を検出する方位検出手段と、方位と音程との関係を示す方位／音程変換テーブルが格納されている第１の記憶手段と、楽譜データを記憶する第２の記憶手段と、各種データの入力及び動作モードの設定を行う入力手段と、各種データを表示する表示手段と、前記方位検出手段の検出出力を取り込み、かつ前記第１の記憶手段に格納されている方位／音程変換テーブルを参照し、前記検出出力が示す方位に対応する音程を方位と共に前記表示手段に表示すると共に、前記入力手段により楽譜データ入力モードに設定された場合に前記音程を含む楽譜データを前記第２の記憶手段に格納する制御手段とを有することを特徴とする。
【０００８】
また、請求項５に記載の発明は、請求項４に記載の携帯電話装置において、前記楽譜データは、音程、オクターブ、音長からなる音符データと、休符長を示す休符データとからなり、前記音符データは、１２方位に１２音階を割り当てて、１回転で１オクターブアップまたはダウンに対応させ、音程及びオクターブ以外のデータは前記入力手段により入力されることを特徴とする。
【０００９】
また、請求項６に記載の発明は、請求項４または５のいずれかに記載の携帯電話装置において、さらに、入力された際に楽譜データに基づいて楽音を生成する楽音生成手段と、該楽音生成手段により生成された楽音を放音する発音手段とを有することを特徴とする。
【００１０】
【発明の実施の形態】
以下、本発明の実施の形態を、図面を参照して詳細に説明する。  以下、本発明の実施の形態を、図面を参照して詳細に説明する。本発明の実施の形態に係る携帯電話装置の電気的構成を図１に示す。同図において、携帯電話装置１は、各種プログラムを実行することにより電話機、あるいは、ゲーム機、音楽再生機等としての機能を有するように各部の動作を制御するＣＰＵ１００と、各種プログラム及び固定データが格納されるＲＯＭ１０２と、ＲＡＭ１０４と、操作入力部１０６と、ＧＰＳモジュール１０８と、ＸＹ２軸地磁気センサ１１０と、無線通信部１１２と、音声コーデック（ＣＯＤＥＣ）１１４と、楽曲再生部１１６と、表示部１１８と、インターフェース（Ｉ／Ｆ）１２０と、送話用マイク１２２と、受話用スピーカ１２４と、着信用スピーカ１２６とを有している。
【００１１】
ＲＯＭ１０２には、各種プログラムの他に、着信メロディ用の楽曲シーケンスデータ等の固定データや、ゲームソフト等のアプリケーションプログラムが記憶されている。
また、ＲＯＭ１０２にはＸＹ２軸地磁気センサ１１０の出力である磁界を方位に変換するための磁界と方位との関係を示す磁界／方位変換テーブルが格納されている。
【００１２】
さらに、ＲＯＭ１０２には、方位と音源パラメータとの関係を示す方位／音源パラメータ変換テーブル、方位と音程との関係を示す方位／音程変換テーブルが格納されている。
また、ＲＡＭ１０４には、インターネット等のネットワークを介してダウンロードした各種データ、またはインターフェース１２０を介して外部のオーディオ機器から取り込んだ楽曲データが格納されるようになっている。
【００１３】
操作入力部１０６は、通話を開始する際に使用する開始キー、通話を終了する終了キー、数字キー、各種機能キー、電源キー等から構成されている。これらのキーのうち楽曲を作曲する際に音符を入力する音符入力モード、休符を入力する休符入力モードを指定するキーが特定のキーに割り当てられている。例えば、＃キーが音符入力モードに、＊キーが休符入力モードに割り当てられる。
なお、本明細書では、音符入力モード及び休符入力モードを楽譜入力モードと総称することとする。
また、複数の所定の音長（または休符長）が複数のキー、例えば、数字キー１〜７に割り当てられている。音長入力用のキーと休符長入力用のキーとは兼用される。
【００１４】
ＧＰＳモジュール１０８は、所定時間毎に、複数（３個以上）のＧＰＳ衛星からの位置測定用の電波を受信し、その生データをＧＰＳ基地局に送信し、ＧＰＳ基地局から測位演算結果を受信してＲＡＭ１０４の所定のメモリエリアに格納し、更新する機能を有している。
【００１５】
ＸＹ２軸地磁気センサ１１０は、自局の方位を検出するセンサであり、地磁気のＸ軸成分及びＹ軸成分の変化を電圧変化として検出するものである。
本実施の形態では、ＸＹ２軸地磁気センサ１１０の出力を、例えば、所定時間毎に検出し、その出力データをＲＡＭ１０４の所定のメモリエリアに格納し、更新する機能を有している。
【００１６】
無線通信部１１２は、アンテナ２０を介して受信する信号を復調し、外部に送信する信号を変調してアンテナ２０を介して送信する。
音声ＣＯＤＥＣ １１４は、無線通信部１１２から受け取った音声信号を復号して受話用スピーカに１２４に出力し、送話用マイク１２２から入力された音声信号を圧縮符号化して無線通信部２０に送出する。
【００１７】
楽曲再生部１１６は、着信時に着信を報知する着信メロディとしての楽曲を再生して着信用スピーカ１２６に出力し、あるいはＲＯＭ１０２またはＲＡＭ１０４に格納された楽曲データに基づいて楽曲を再生する。楽曲再生部１１６における音源は、ＸＹ２軸地磁気センサ１１０の出力に基づいて駆動されることにより方位を音階でも通知するようになっている。
【００１８】
表示部１１８は、各種データを表示する、例えば、液晶ディスプレイ（ＬＣＤ）である。インターフェース（Ｉ／Ｆ）１２０の入力端は、図示してない入力端子に接続されており、該入力端子を介して外部のオーディオ機器と接続して所望の楽曲データをＲＡＭ１０４に格納することができるようになっている。
【００１９】
ＣＰＵ１００、ＲＯＭ１０２、ＲＡＭ１０４、操作入力部１０６、ＧＰＳモジュール１０８、ＸＹ２軸地磁気センサ１１０、無線通信部１１２、音声ＣＯＤＥＣ１１４、楽曲再生部１１６、表示部１１８及びインターフェース（Ｉ／Ｆ）１２０は、バス９０を介して相互に接続されている。操作入力部は本発明の入力手段に、ＲＯＭ１０２は本発明の第１の記憶手段に、ＲＡＭ１０４は本発明の第２の記憶手段に、ＸＹ２軸地磁気センサ１１０は本発明の方位検出手段に、ＣＰＵ１００は本発明の制御手段に、表示部１１８は本発明の表示手段に、それぞれ相当する。
【００２０】
次に、ＸＹ２軸地磁気センサ１１０の電気的構成を図２に示す。同図において、ＸＹ２軸地磁気センサ１１０は、ＧＭＲ（Giant  Magneto  Resistive）回路１１１０と、電圧／磁界変換回路１１１１とを有している。
ＧＭＲ回路１１１０は、定電流バイアス回路１１１２と、地磁気のＸ成分を検出するＸ軸ＧＭＲ素子１１１３と、地磁気のＹ成分を検出するＹ軸ＧＭＲ素子１１１４とを有している。
【００２１】
また、定電流バイアス回路１１１２は、ＯＮ信号を受けてＸ軸ＧＭＲ素子１１１３及びＹ軸ＧＭＲ素子１１１４に一定電流を供給する。Ｘ軸ＧＭＲ素子１１１３、Ｙ軸ＧＭＲ素子１１１４は、磁気の変化に応じて抵抗値が変化する素子であり、これらの素子に一定電流をバイアスとして流すことにより、磁気の変化を電圧の変化として検出する。すなわち、ＸＹ２軸地磁気センサ１１０を構成するＸ軸ＧＭＲ素子１１１３、Ｙ軸ＧＭＲ素子１１１４が回転すると、地磁気のＸ軸成分、Ｙ軸成分が変化し、それが電圧変化として現れる。
電圧／磁界変換回路１１１１は、ＧＭＲ回路１１１０より出力される電圧を磁界に変換し、出力する機能を有している。
【００２２】
次に、本発明の実施の形態に係る携帯電話装置における方位表示時の動作を図３のフローチャートを参照して説明する。同図において、ＸＹ２軸地磁気センサ１１０がＯＮ状態とされると（ステップ２００）、ＸＹ２軸地磁気センサ１１０内の定電流バイアス回路１１１２よりＸ軸ＧＭＲ素子１１１３及びＹ軸ＧＭＲ素子１１１４に一定電流が供給され、Ｘ軸ＧＭＲ素子１１１３及びＹ軸ＧＭＲ素子１１１４より出力される電圧が電圧／磁界変換回路１１１１により地磁気による磁界のＸ成分、Ｙ成分に変換され、出力される。
【００２３】
次いで、ＸＹ２軸地磁気センサ１１０より出力される地磁気による磁界のＸ成分、Ｙ成分が取り込まれ（ステップ２０１）、取り込まれた磁界のＸ成分、Ｙ成分についてオフセット補正がなされ（ステップ２０２）、その後にＲＯＭ１０２に格納されている磁界／方位変換テーブルを参照し、ＸＹ２軸地磁気センサ１１０の検出出力に応じた方位データを取得する（ステップ２０３）。さらに、取得した方位データに基づいて図４に示すように表示部１１８に携帯電話装置１の方位を表示する（ステップ２０４）。
【００２４】
次いで、ＲＯＭ１０２より方位／音源パラメータ変換テーブルを参照し、ステップ２０２で取得した方位データに対応する音源パラメータを取得し（ステップ２０５）、楽曲再生部１１６内の音源を駆動する（ステップ２０６）。これにより方位は、ステップ２０４における表示部による表示のみでなく、楽曲再生部１１６内の音源により音階でも通知される。そして、携帯電話装置１の方位が表示及び音階により通知された後、ＸＹ２軸地磁気センサ１１０にＯＦＦ信号が出力され、方位表示動作を終了する（ステップ２０７）。
【００２５】
次に、図５に方位と音程との関係を示す。本実施の形態では、同図に示すように、１２方位で方位を表し、各方位に１２音階（符号Ａ〜Ｇと＃及び♭で表す。）を割り当てる。携帯電話装置１の表示部１１８において、図５に示すように方位針のＮ（北）が所定の音程を示している状態で操作入力部１０６における所望の音長が割り当てられているキーを操作することにより音符が入力される。このとき、オクターブは、携帯電話装置１の時計回り方向（オクターブアップ）の回転数と反時計回り方向（オクターブダウン）の回転数に基づいて決定される。
【００２６】
回転数は、地磁気センサをＯＮ状態にしたときからセンサ出力を監視して把握している。尚、オクターブについては別途、操作入力部１０６における特定のキーを割り当てて、指定するようにしてもよい。
休符に関しては、所定のキーで休符入力モードを選択して、各音長が割り当てられたキーを操作することにより入力する。既述したように音長入力と休符長入力のキーは兼用される。携帯電話装置１のユーザが音符と休符を順次、入力することにより楽譜データが完成する。
【００２７】
次に、ユーザが本発明の実施の形態に係る携帯電話装置１を使用して作曲する際の携帯電話装置１の動作を図６及び図７のフローチャートを参照して説明する。同図において、ＸＹ２軸地磁気センサ１１０がＯＮ状態とされると（ステップ３００）、ＸＹ２軸地磁気センサ１１０内の定電流バイアス回路１１１２よりＸ軸ＧＭＲ素子１１１３及びＹ軸ＧＭＲ素子１１１４に一定電流が供給され、Ｘ軸ＧＭＲ素子１１１３及びＹ軸ＧＭＲ素子１１１４より出力される電圧が電圧／磁界変換回路１１１１により地磁気による磁界のＸ成分、Ｙ成分に変換され、出力される。
【００２８】
次いで、ＸＹ２軸地磁気センサ１１０より出力される地磁気による磁界のＸ成分、Ｙ成分が取り込まれ（ステップ３０１）、取り込まれた磁界のＸ成分、Ｙ成分についてオフセット補正がなされ（ステップ３０２）、その後にＲＯＭ１０２に格納されている磁界／方位変換テーブルを参照し、ＸＹ２軸地磁気センサ１１０の検出出力に応じた方位データを取得する（ステップ３０３）。さらに、取得した方位データに基づいて図５に示すように表示部１１８に携帯電話装置１の方位（背景は音程を表示）を表示する（ステップ３０４）。
【００２９】
次いで、ＸＹ２軸地磁気センサ１１０の検出出力に基づいて、携帯電話装置１の回転方向及び、回転数からオクターブを決定し、ＲＡＭ１０４の所定のメモリエリアに格納する（ステップ３０５）。
次いで、モード指定キーが入力されたか否かが判定される（ステップ３０６）。ステップ３０６の判定が否定された場合には、ステップ３０８に移行する。
【００３０】
また、ステップ３０６の判定が肯定された場合には音符入力及び休符入力が可能な状態に切り換えられ（ステップ３０７）、次いで、ステップ３０８で音長（休符長）キーが操作されたか否かが判定される。ステップ３０８の判定が否定された場合には、ステップ３１２に移行する。
ステップ３０８の判定が肯定された場合には、音符入力モードであるか否か、すなわち＃キーが操作されたか否かが判定される（ステップ３０９）。
【００３１】
音符入力モードに設定されている場合には、ＲＯＭ１０２に格納されている方位／音程変換テーブルを参照し音程を取得し、さらに、オクターブ、音長の各データを音符データとしてＲＡＭ１０４の所定のエリアに格納する（ステップ３１０）。
他方、ステップ３０９の判定が否定された場合、すなわち、＊キーが操作され、休符入力モードに設定されている場合には、入力された休符長を休符データとしてＲＡＭ１０４の所定のエリアに格納する（ステップ３１１）。
【００３２】
次いで、ステップ３１２では作曲が終了したか否かが判定される。ステップ３１２で作曲が終了していないと判定された場合には３０１に戻り、既述した処理を繰り返す。
また、ステップ３１２で作曲が終了したと判定された場合には、ＸＹ２軸地磁気センサ１１０にＯＦＦ信号が出力され、この動作を終了する（ステップ３１３）。
【００３３】
本発明の実施の形態に係る携帯電話装置によれば、方位と音階とを対応づけ、前記携帯電話装置を特定の方位に向けることにより該特定の方位に対応づけられた音程を入力可能としたので、作曲をする際に音程の入力を操作入力部におけるキーを操作する必要がなく、楽譜データの入力操作を容易に行うことができる。
【００３４】
また、１２方位で方位を表し、該１２方位に１２音階を割り当てて、１回転で１オクターブに対応させたので、作曲時における入力操作方法が直感的に非常に判り易いという効果がある。
【００３５】
【発明の効果】
請求項１乃至３に記載の発明によれば、作曲をする際に音程の入力を操作入力部におけるキーを操作する必要がなく、楽譜データの入力操作を容易に行うことができる。
【００３６】
また、請求項３に記載の発明によれば、１２方位で方位を表し、該１２方位に１２音階を割り当てて、１回転で１オクターブアップまたはダウンに対応させたので、作曲時における入力操作方法が直感的に非常に判り易いという効果がある。
【００３７】
また、請求項４乃至６に記載の発明によれば、作曲をする際に音程の入力を操作入力部におけるキーを操作する必要がなく、楽譜データの入力操作を容易に行うことができる。
【００３８】
また、請求項６に記載の発明によれば、さらに、入力された際に楽譜データに基づいて楽音を生成する楽音生成手段と、該楽音生成手段により生成された楽音を放音する発音手段とを有するので、楽譜データの入力結果をモニタすることができる。
【図面の簡単な説明】
【図１】  本発明の実施の形態に係る携帯電話装置の電気的構成を示すブロック図。
【図２】  図１に示した本発明の実施の形態に係る携帯電話装置におけるＸＹ２軸地磁気センサの電気的構成を示すブロック図。
【図３】  本発明の実施の形態に係る携帯電話装置における方位表示時の動作を示すフローチャート。
【図４】  本発明の実施の形態に係る携帯電話装置における方位表示時の動作状態を示す説明図。
【図５】  本発明の実施の形態に係る携帯電話装置における方位と音程との関係を示す説明図。
【図６】  本発明の実施の形態に係る携帯電話装置を使用して作曲する際の携帯電話装置の動作を示すフローチャート。
【図７】  本発明の実施の形態に係る携帯電話装置を使用して作曲する際の携帯電話装置の動作を示すフローチャート。
【符号の説明】
１…携帯電話装置、２０…アンテナ、１００…ＣＰＵ、１０２…ＲＯＭ、１０４…ＲＡＭ、１０６…操作入力部、１０８…ＧＰＳモジュール、１１０…ＸＹ２軸地磁気センサ、１１２…無線通信部、１１４…音声ＣＯＤＥＣ、１１６…楽曲再生部、１１８…表示部、１２０…インターフェース。１２２…マイク、１２４…受話用スピーカ、１２６…着信用スピーカ、１１１０…ＧＭＲ回路、１１１１…電圧／磁界変換回路、１１１２…定電流バイアス回路、１１１３…Ｘ軸ＧＭＲ素子、１１１４…Ｙ軸ＧＭＲ素子
【図１】
0003778044.tif 000002
【図２】
0003778044.tif 000003
【図３】
0003778044.tif 000004
【図４】
0003778044.tif 000005
【図５】
0003778044.tif 000006
【図６】
0003778044.tif 000007
【図７】
0003778044.tif 000008